(57)【要約】【課題】アラームを解除するための動作に関しユーザの利便性を向上させる。【手段】電子機器（１）の制御部（２０）は、アラームを設定するアラーム設定を行うアラーム設定部（２０１）と、撮像画像を用いた顔認証を行う顔認証部と、顔認証部による顔認証の結果が所定の条件を満たす場合に、アラームを解除するアラーム解除部（２０２）とを備えており、前記所定の条件には、前記顔認証が成功したことが含まれている。【選択図】図１
2020169860.tif 000002
【特許請求の範囲】
【請求項１】
撮像部と、報知部と、制御部とを備えた電子機器であって、
前記制御部は、
前記報知部を介したアラームを設定するアラーム設定を行うアラーム設定部と、
前記撮像部による撮像画像を用いた顔認証を行う顔認証部と、
前記顔認証部による顔認証の結果が所定の条件を満たす場合に、前記アラームを解除するアラーム解除部とを備えており、
前記所定の条件には、第１の条件として、前記顔認証が成功したことが含まれていることを特徴とする電子機器。
【請求項２】
前記アラーム解除部は、前記第１の条件が満たさない場合に、スヌーズを設定することを特徴とする請求項１に記載の電子機器。
【請求項３】
前記所定の条件には、第２の条件として、前記撮像部による撮像画像に含まれる顔と、事前に登録された画像との一致度合が所定以上であることが含まれることを特徴とする請求項１又は２に記載の電子機器。
【請求項４】
前記第２の条件は、前記撮像部による撮像画像に含まれる顔における目と、事前に登録された目との一致度合が所定以上であることが含まれていることを特徴とする請求項３に記載の電子機器。
【請求項５】
前記アラーム解除部は、前記第１の条件が満たされる場合であって、前記第２の条件が満たされない場合に、スヌーズを設定することを特徴とする請求項３に記載の電子機器。
【請求項６】
当該電子機器の傾きを検知する傾き検知部を備え、前記所定の条件には、第３の条件として、前記傾き検知部が検知した傾きが鉛直から所定の範囲内であることが含まれていることを特徴とする請求項１から５の何れか１項に記載の電子機器。
【請求項７】
前記アラーム解除部は、前記第１の条件が満たされる場合であって、前記第３の条件が満たされない場合に、スヌーズを設定することを特徴とする請求項６に記載の電子機器。
【請求項８】
前記所定の条件には、第４の条件として、前記撮像部による撮像画像における背景の向きが、鉛直から所定の範囲内であることが含まれていることを特徴とする請求項１から５の何れか１項に記載の電子機器。
【請求項９】
前記アラーム解除部は、前記第１の条件が満たされる場合であって、前記第４の条件が満たされない場合に、スヌーズを設定することを特徴とする請求項８に記載の電子機器。
【請求項１０】
請求項１から９の何れか１項に記載の電子機器を機能させるための制御プログラムであって、前記アラーム設定部、前記顔認証部、及び前記アラーム解除部として電子機器を機能させるための制御プログラム。
【請求項１１】
撮像部と、報知部と、制御部とを備えた電子機器を制御する方法であって、
前記報知部を介したアラームを設定するアラーム設定を行うアラーム設定工程と、
前記撮像部による撮像画像を用いた顔認証を行う顔認証工程と、
前記顔認証工程による顔認証の結果が所定の条件を満たす場合に、前記アラームを解除するアラーム解除工程と
を含んでおり、
前記所定の条件には、第１の条件として、前記顔認証が成功したことが含まれていることを特徴とする方法。
【発明の詳細な説明】
【技術分野】
【０００１】
本発明は、電子機器、プログラム、及び制御方法に関する。
【背景技術】
【０００２】
従来よりアラームを鳴動させる電子機器が知られている。一般的に、電子機器はアラームの鳴動を解除する場合、ユーザに対して、ボタンを押す、又はＵＩを操作するといった物理的な動作を要求する。そして適切な動作が行われた場合はアラームの鳴動を解除し、それ以外の動作が行われた場合には、アラームの鳴動を継続するかスヌーズの設定を行う。一例として、特許文献１には、アラームの解除に特定のフリックを用いる技術が開示されている。
【先行技術文献】
【特許文献】
【０００３】
【特許文献１】特開２０１５−１６４０６２
【発明の概要】
【発明が解決しようとする課題】
【０００４】
上記のような従来技術では、アラームを解除するための動作に関しユーザの利便性が低いという課題があった。
【課題を解決するための手段】
【０００５】
上記の課題を解決するため、本発明の一態様に係る電子機器は、撮像部と、報知部と、制御部とを備えた電子機器であって、前記制御部は、前記報知部を介したアラームを設定するアラーム設定を行うアラーム設定部と、前記撮像部による撮像画像を用いた顔認証を行う顔認証部と、前記顔認証部による顔認証の結果が所定の条件を満たす場合に、前記アラームを解除するアラーム解除部とを備えており、前記所定の条件には、第１の条件として、前記顔認証が成功したことが含まれている。
【発明の効果】
【０００６】
本発明の一態様に係る構成によれば、アラームを解除するための動作に関しユーザの利便性が向上する。
【図面の簡単な説明】
【０００７】
【図１】電子機器１の構成を示すブロック図である。
【図２】電子機器１が顔認証で、アラームを止める一実施例を表したフローチャートである。
【図３】電子機器１の外観を表した図である。
【図４】電子機器１が顔認証の類似度によって、スヌーズを設定する処理の流れを表したフローチャートである。
【図５】電子機器１がアラームの鳴動停止操作後に、顔認証を行い、スヌーズを設定する処理の流れを表したフローチャートである。
【図６】電子機器１が顔認証に加え、電子機器１の傾きを検知し、スヌーズ設定を行う処理の流れを表したフローチャートである。
【図７】電子機器１が顔認証の際、映っている背景も検知し、スヌーズ設定を行うかの判定材料にする処理の流れを表したフローチャートである。
【発明を実施するための形態】
【０００８】
〔実施形態１〕
本発明の一実施形態に係る電子機器の構成を図１に基づいて説明する。図１は、電子機器１の構成を模式的に示すブロック図である。電子機器１は、一例として、カメラ、時刻を表示する表示部、及び、アラーム発生機を備えた電子端末である。電子機器１は、例えばスマートフォン端末や時計端末、またその他の電子端末である。
【０００９】
図１に示すように、電子機器１は、撮像部１０、制御部２０、報知部３０、記憶部４０、加速度センサ部５０、表示部６０、及び、入力部７０を備えている。
【００１０】
撮像部１０は、電子機器１の外部を撮像するカメラである。撮像部１０は、撮像画像を表す撮像画像データを生成する。生成された撮像画像データは記憶部４０に保存される。
【００１１】
報知部３０は、アラーム時刻及びスヌーズ時刻に、アラーム及びスヌーズの報知を行う。報知部３０は、一例として、スピーカ、バイブレータ、及びＬＥＤ等を備えており、報知部３０は、これらの構成を用いて、例えば、音、振動、ＬＥＤ発光の少なくとも何れかによって、ユーザへのアラーム及びスヌーズの報知を行う。例えば、報知部３０は、スピーカからアラーム音及びスヌーズ音を出力する。
【００１２】
記憶部４０は、撮像部１０で撮像した画像を一時保存する記憶領域である。また、記憶部４０には、制御部２０において実行される各種のアプリケーションのプログラムが記憶されている。
【００１３】
加速度センサ部（傾き検知部）５０は、電子機器１に印加される加速度を計測するセンサを備えている。加速度センサ部５０は、電子機器１の鉛直方向に対する傾きを検知することができる。一例として、加速度センサ部５０は、電子機器１の表示部６０の表示面の法線方向と、鉛直方向（重力方向）とのなす角を検出することができる。本明細書では、表示部６０の表示面の法線方向と、鉛直方向とのなす角から９０度を減算した角度θを、電子機器１と鉛直方向とのなす角度と呼ぶ。また、角度θを、電子機器１の表示面と鉛直方向とのなす角度とも呼ぶ。
【００１４】
表示部６０は、制御部２０が生成した画像又は記憶部４０から読み出した画像を表示する。一例として、表示部６０は、後述する制御部２０のクロック部２０５から取得した現在の時刻及びタイマー設定した時刻を表示する。表示部６０は、一例として、液晶ディスプレイや有機ELディスプレイを含んで構成される。
【００１５】
入力部７０は、ユーザからアラーム時刻に関する入力を受け付ける。ここで、アラーム時刻とは報知部によるアラームの鳴動を開始させる時刻のことを指す。入力部７０は、ユーザから受け付けたアラーム時刻を示すアラーム時刻情報を、アラーム設定部２０１に供給する。
【００１６】
入力部７０は、一例として表示部６０に重畳して配置されるタッチパネルを含んで構成される。なお、本明細書において、「アラーム又はスヌーズを鳴動」とは、報知部３０からアラーム音又はスヌーズ音を出力することを指す。
【００１７】
（制御部２０）
制御部２０は、図１に示すように、アラーム設定部２０１、アラーム解除部２０２、スヌーズ設定部２０３、スヌーズ解除部２０４、クロック部２０５、顔認証照合部２０６、及び、顔認証判定部２０７を備えている。なお、顔認証照合部２０６と顔認証判定部２０５とを合わせて顔認証部とも呼ぶ。
【００１８】
アラーム設定部２０１は、入力部７０より入力されたアラーム時刻情報を参照し、当該アラーム時刻情報が示すアラーム時刻に、報知部３０による報知が行われるように、アラームを設定する。一例として、アラーム設定部２０１は、クロック部２０５から供給される現在時刻情報と、アラーム時刻情報とを対比し、現在時刻情報が示す現在時刻がアラーム時刻に到達した場合に、報知部３０にアラームの報知を行わせる。  アラーム解除部２０２は、後述する顔認証照合部２０６による認証が成功した場合、アラーム設定部２０１が設定したアラームを解除する。アラーム解除部２０２は、報知部３０によるアラームの報知が行われている場合にアラームを解除する場合、報知部３０による報知を停止させる。
【００１９】
スヌーズ設定部２０３は、スヌーズ時刻に報知部３０によるスヌーズが行われるように、スヌーズを設定する。例えば、スヌーズ設定部２０３は、後述する顔認証照合部２０６で顔認証が失敗した場合に報知部３０による報知が行われるように、スヌーズを設定する。一例として、スヌーズ設定部２０３は、後述する顔認証照合部２０６が顔認証に失敗した時点を起点として所定時間後にスヌーズ時刻を設定する。ここで、スヌーズ時刻とは、報知部３０によるスヌーズの鳴動が行われる時刻のことを指す。
【００２０】
一例として、スヌーズ設定部２０３は、顔認証照合部２０６が顔認証に失敗した時点を起点として１０分後にスヌーズ時刻を設定する。なお、上記の例は本実施形態を限定するものではなく、ユーザ自身が入力部７０を介してスヌーズ時刻を設定する構成としてもよい。
【００２１】
スヌーズ設定部２０３は、クロック部２０５から供給される現在時刻情報と、スヌーズ時刻とを対比し、現在時刻情報が示す現在時刻がスヌーズ時刻に到達した場合に、報知部３０にスヌーズの報知を行わせる。なお、本明細書では、アラームの報知（鳴動）とスヌーズの報知（鳴動）とを特に区別せずに、共にアラームの報知（鳴動）と表現することがある。
【００２２】
スヌーズ解除部２０４は、顔認証照合部２０６による認証が成功した場合、スヌーズ設定部２０３が設定したスヌーズを解除する。スヌーズ解除部２０４は、報知部３０によるスヌーズの報知が行われている場合にスヌーズを解除する場合、報知部３０による報知を停止させる。
【００２３】
クロック部２０５は、クロックを備えて構成される。クロック部２０５は、例えば、現在時刻を示す現在時刻情報を生成する。一例として、クロック部２０５は、現在時刻情報をアラーム設定部２０１、及びスヌーズ設定部２０３に供給する。
【００２４】
顔認証照合部２０６は、予め記憶部４０に格納されたユーザの顔画像と、撮像部１０において撮像した撮像画像とを比較することで顔認証処理を行う。また、顔認証照合部２０６は、顔認証が成功したのか又は失敗したのかを示す顔認証結果情報を出力する。
【００２５】
顔認証判定部２０７は、顔認証照合部２０６による顔認証処理における顔認証の類似度を算出する。顔認証の類似度とは、記憶部４０にあらかじめ保存した顔情報（換言すれば予め登録した顔情報）と撮像部１０で撮像した画像を比較し、両画像におけるユーザの顔や目等の特定部位の一致度合いを数値化した値である。
【００２６】
顔認証照合部２０６で顔認証の照合が失敗した場合で、顔認証判定部２０７で算出した顔認証の類似度が所定の値よりも低い場合は、一例としてスヌーズ設定部２０３はスヌーズの設定を行う。
【００２７】
（処理の流れ）
以下では、電子機器１によるアラーム設定及びアラーム解除の処理の流れについて図２を参照して説明する。図２は、電子機器１によるアラーム設定及びアラーム解除の処理の流れを示すフローチャートである。
【００２８】
（ステップＳ１０１）
まず、ステップＳ１０１において、ユーザは、電子機器１に対して、アラーム時刻及びスヌーズ時刻の少なくとも何れかを入力する。アラーム時刻の入力が行われた場合、アラーム設定部２０１は、入力部７０より入力されたアラーム時刻を参照し、当該アラーム時刻に、報知部３０による報知が行われるように、アラームを設定し、ステップＳ１０２へ進む。また、スヌーズ時刻の入力が行われた場合、スヌーズ設定部２０３は、入力部７０より入力されたスヌーズ時刻を参照し、当該スヌーズ時刻に、報知部３０による報知が行われるように、スヌーズを設定し、ステップＳ１０２へ進む。
【００２９】
（ステップＳ１０２）
アラーム時刻またはスヌーズ時刻に到達すると、ステップＳ１０２において、電子機器１の報知部３０は、アラームを鳴動し、ステップＳ１０３へ進む。
【００３０】
（ステップＳ１０３）
ステップＳ１０３では、顔認証照合部２０６が顔認証処理を行う。その際、ユーザは電子機器１を手に取るなどして、撮像部１０が自身の顔を撮像することのできる角度に調整する。
【００３１】
顔認証照合部２０６は、記憶部４０に格納された顔画像と、撮像部１０において撮像した撮像画像とを比較することで、顔認証を行う。そして顔認証が成功したか失敗したかを判定する。
【００３２】
顔認証が成功した場合はステップＳ１０４へ進む。失敗した場合はステップＳ１０２へ戻る。
【００３３】
（ステップＳ１０４）
ステップＳ１０３において顔認証が成功した場合、ステップＳ１０４において、アラーム解除部２０２は、アラーム設定部２０１が設定したアラームを解除し、スヌーズ解除部２０４は、スヌーズ設定部２０３が設定したスヌーズを解除する。
【００３４】
これにより、報知部３０によるアラームの鳴動又はスヌーズの鳴動が止まる。
【００３５】
電子機器１が上記の処理を行うことよって、電子機器１は顔認証が成功した場合に自動的にアラーム又はスヌーズの鳴動を停止させるので、ユーザ利便性が向上する。
【００３６】
（電子機器１による表示例）
図３は、アラーム鳴動及び解除、並びに、スヌーズ鳴動及び解除の処理において表示部６０が表示する表示画像の一例を示している。
【００３７】
上述したステップＳ１０２における報知部３０によるアラーム又はスヌーズの報知中において、表示部６０は、例えば、目覚まし時計の図像を表示する。
【００３８】
また、ステップＳ１０３において顔認証照合部２０６による顔認証が成功した場合、表示部６０は、図３の（ｂ）に示すように、顔認証が成功したことを示す画像を表示する。
【００３９】
また、ステップＳ１０４において、アラーム又はスヌーズが解除された場合、表示部６０は、アラーム又はスヌーズが解除されたことを示す図像を表示する。
【００４０】
なお、図３に示した表示画像は、制御部２０によって逐一生成される構成としてもよいし、予め作成された表示画像を、記憶部４０から読み出し、表示部６０に供給することによって表示させる構成としてもよい。
【００４１】
＜実施形態１の変形例＞
以下に実施形態１の変形例について図４を参照して説明する。なお、説明の便宜上、上記実施形態にて説明した部材と同じ機能を有する部材については、同じ符号を付記し、その説明を繰り返さない。
【００４２】
本変形例に係る電子機器１は、実施形態１と同様の構成を備えているので説明を繰り返さない。図４は、本変形例に係る電子機器１によるアラーム鳴動及び解除、並びに、スヌーズ鳴動及び解除の処理の流れを示すフローチャートである。
【００４３】
（ステップＳ２０１）
まず、ステップＳ２０１において、ユーザは、電子機器１に対して、アラーム時刻及びスヌーズ時刻の少なくとも何れかを入力する。アラーム時刻の入力が行われた場合、アラーム設定部２０１は、入力部７０より入力されたアラーム時刻を参照し、当該アラーム時刻に、報知部３０による報知が行われるように、アラームを設定し、ステップＳ２０２へ進む。また、スヌーズ時刻の入力が行われた場合、スヌーズ設定部２０３は、入力部７０より入力されたスヌーズ時刻を参照し、当該スヌーズ時刻に、報知部３０による報知が行われるように、スヌーズを設定し、ステップＳ２０２へ進む。
【００４４】
（ステップＳ２０２）
アラーム時刻またはスヌーズ時刻に到達すると、ステップＳ２０２において、電子機器１の報知部３０は、アラームを鳴動し、ステップＳ２０３へ進む。
【００４５】
（ステップＳ２０３）
ステップＳ２０３では、顔認証照合部２０６が顔認証処理を行う。その際、ユーザは電子機器１を手に取るなどして、撮像部１０が自身の顔を撮像することのできる角度に調整する。
【００４６】
顔認証照合部２０６は、記憶部４０に格納された顔画像と、撮像部１０において撮像した撮像画像とを比較することで、顔認証を行う。そして顔認証が成功したか失敗したかを判定する。
【００４７】
顔認証が成功した場合はステップＳ２０４へ進む。失敗した場合はステップＳ２０２へ戻る。
【００４８】
（ステップＳ２０４）
ステップＳ２０４では、顔認証判定部２０７は、顔認証の類似度がＮ％以上（Ｎは０以上の整数）かどうかを判定する。類似度がＮ％以上の場合はステップＳ２０５へ進む。類似度がＮ％未満の場合はステップＳ２０６へ進む。一例として、Ｎの値は３０以上９０以下の任意の数値である。なお、Ｎの値は本実施形態を限定するものではなく５０以上９０以下としてもよいし、７０以上９０以下としてもよい。
【００４９】
（ステップＳ２０５）
ステップＳ２０５では、アラーム解除部２０２とスヌーズ解除部２０４は、電子機器１に設定されたアラーム又はスヌーズを、解除する。
【００５０】
（ステップＳ２０６）
ステップＳ２０６では、スヌーズ設定部２０３は、スヌーズを設定し、ステップＳ２０２へ進む。
【００５１】
電子機器１は、以上の処理を行うことによって、顔認証における類似度が所定の値以上である場合にアラーム又はスヌーズを解除し、そうでない場合には、スヌーズを設定する。したがって、上記の構成によれば、顔認証における類似度が十分でない場合、例えば、ユーザの目が十分に開いていない等の場合には、アラームやスヌーズが解除されず、スヌーズを設定するので、ユーザの利便性を損なうことなく、ユーザに対して目覚ましを好適に促すことができる。
【００５２】
〔実施形態２〕
以下に実施形態２について図５を参照して説明する。なお、説明の便宜上、上記実施形態にて説明した部材と同じ機能を有する部材については、同じ符号を付記し、その説明を繰り返さない。
【００５３】
本変形例に係る電子機器１は、実施形態１と同様の構成を備えているので説明を繰り返さない。図５は、本変形例に係る電子機器１によるアラーム鳴動及び解除、並びに、スヌーズ鳴動及び解除の処理の流れを示すフローチャートである。
（ステップＳ３０１）
まず、ステップＳ３０１において、ユーザは、電子機器１に対して、アラーム時刻及びスヌーズ時刻の少なくとも何れかを入力する。アラーム時刻の入力が行われた場合、アラーム設定部２０１は、入力部７０より入力されたアラーム時刻を参照し、当該アラーム時刻に、報知部３０による報知が行われるように、アラームを設定し、ステップＳ３０２へ進む。また、スヌーズ時刻の入力が行われた場合、スヌーズ設定部２０３は、入力部７０より入力されたスヌーズ時刻を参照し、当該スヌーズ時刻に、報知部３０による報知が行われるように、スヌーズを設定し、ステップＳ３０２へ進む。
（ステップＳ３０２）
アラーム時刻またはスヌーズ時刻に到達すると、ステップＳ３０２において、電子機器１の報知部３０は、アラームを鳴動し、ステップＳ３０３へ進む。
（ステップＳ３０３）
ユーザがアラームの鳴動を停止する操作を電子機器１に対して行うと、電子機器１の報知部３０による報知が停止する。停止後、ステップＳ３０４へ進む。
（ステップＳ３０４）
ステップＳ３０４では、顔認証照合部２０６が、ステップＳ３０３でユーザのアラーム停止操作開始後の所定の期間内に、例えば１０秒の期間内に、顔認証を行ったかどうかを判定する。顔認証を行った場合は、ステップＳ３０５へ進む。顔認証を行っていない場合は、ステップＳ３０７へ進む。
【００５４】
なお、本ステップでは、顔認証を行ったかどうかを判定する処理に代えて、顔認証が成功したか否かを判定する処理を行う構成としてもよい。この構成の場合、顔認証が成功した場合は、ステップＳ３０６へ進む。失敗した場合はステップＳ３０７へ進む。
（ステップＳ３０５）
ステップＳ３０５では、顔認証判定部２０７が、顔認証の顔認証の類似度がＮ％以上（Ｎは０以上の整数）かどうかを判定する。類似度がＮ％以上の場合はステップＳ３０６へ進む。類似度がＮ％未満の場合はステップＳ３０７へ進む。一例として、Ｎの値は３０以上９０以下の任意の数値である。なお、Ｎの値は本実施形態を限定するものではなく５０以上９０以下としてもよいし、７０以上９０以下としてもよい。
（ステップＳ３０６）
ステップＳ３０６では、アラーム解除部２０２とスヌーズ解除部２０４は、電子機器１に設定されたアラーム又はスヌーズを、解除する。
（ステップＳ３０７）
ステップＳ３０７では、スヌーズ設定部２０３は、スヌーズを設定し、ステップＳ３０２へ進む。
【００５５】
電子機器１は、以上の処理を行うことによって、顔認証を行い、顔認証における類似度が所定の値以上である場合にアラーム又はスヌーズを解除し、そうでない場合には、スヌーズを設定する。したがって、上記の構成によれば、顔認証を行わなかった場合や、顔認証における類似度が十分でない場合、例えば、ユーザの目が十分に開いていない等の場合には、アラームやスヌーズが解除されず、スヌーズを設定するので、ユーザの利便性を損なうことなく、ユーザに対して目覚ましを好適に促すことができる。
【００５６】
〔実施形態３〕
以下に実施形態３について図６を参照して説明する。なお、説明の便宜上、上記実施形態にて説明した部材と同じ機能を有する部材については、同じ符号を付記し、その説明を繰り返さない。
【００５７】
本変形例に係る電子機器１は、実施形態１と同様の構成を備えているので説明を繰り返さない。図６は、本変形例に係る電子機器１によるアラーム鳴動及び解除、並びに、スヌーズ鳴動及び解除の処理の流れを示すフローチャートである。
（Ｓ４０１）
まず、ステップＳ４０１において、ユーザは、電子機器１に対して、アラーム時刻及びスヌーズ時刻の少なくとも何れかを入力する。アラーム時刻の入力が行われた場合、アラーム設定部２０１は、入力部７０より入力されたアラーム時刻を参照し、当該アラーム時刻に、報知部３０による報知が行われるように、アラームを設定し、ステップＳ４０２へ進む。また、スヌーズ時刻の入力が行われた場合、スヌーズ設定部２０３は、入力部７０より入力されたスヌーズ時刻を参照し、当該スヌーズ時刻に、報知部３０による報知が行われるように、スヌーズを設定し、ステップＳ４０２へ進む。
（ステップＳ４０２）
アラーム時刻またはスヌーズ時刻に到達すると、ステップＳ４０２において、電子機器１の報知部３０は、アラームを鳴動し、ステップＳ４０３へ進む。
（ステップＳ４０３）
ユーザがアラームの鳴動を停止する操作を電子機器１に対して行うと、電子機器１の報知部３０による報知が停止する。停止後、ステップＳ４０４へ進む。
（ステップＳ４０４）
ステップＳ４０４では、顔認証照合部２０６が、ステップＳ４０３でユーザのアラーム停止操作開始後の所定の期間内に、例えば１０秒の期間内に、顔認証を行ったかどうかを判定する。顔認証を行った場合は、ステップＳ４０５へ進む。顔認証を行っていない場合は、ステップＳ４０９へ進む。
【００５８】
なお、本ステップでは、顔認証を行ったかどうかを判定する処理に代えて、顔認証が成功したか否かを判定する処理を行う構成としてもよい。この構成の場合、顔認証が成功した場合は、ステップＳ４０５へ進む。失敗した場合はステップＳ４０９へ進む。
（ステップＳ４０５）
ステップＳ４０５では、顔認証判定部２０７が、顔認証の顔認証の類似度がＮ％以上（Ｎは０以上の整数）かどうかを判定する。類似度がＮ％以上の場合はステップＳ４０６へ進む。類似度がＮ％未満の場合はステップＳ４０９へ進む。一例として、Ｎの値は３０以上９０以下の任意の数値である。なお、Ｎの値は本実施形態を限定するものではなく５０以上９０以下としてもよいし、７０以上９０以下としてもよい。
（ステップＳ４０６）
ステップＳ４０６では、加速度センサ５０が、ステップＳ４０３からステップＳ４０５の何れかの時点での、電子機器１の傾きを検知する。
（ステップＳ４０７）
ステップＳ４０７では、ステップＳ４０６で検知した傾きが鉛直から所定の範囲内であるかどうかを加速度センサ５０が判定する。傾きが鉛直から所定の範囲内であるならば、ステップＳ４０８へ進む。傾きが鉛直から所定の範囲外である場合は、ステップＳ４０９へ進む。
【００５９】
なお、上記所定の範囲の具体的な値は、本実施形態を限定するものではないが、例えば、鉛直から３０度以内としてもよいし、鉛直から１５度以内としてもよい。
（ステップＳ４０８）
ステップＳ４０８では、アラーム解除部２０２とスヌーズ解除部２０４は、電子機器１に設定されたアラーム又はスヌーズを、解除する。
（ステップＳ４０９）
ステップＳ４０９では、スヌーズ設定部２０３は、スヌーズを設定し、ステップＳ４０２へ進む。
【００６０】
電子機器１は、以上の処理を行うことによって、顔認証を行い、顔認証における類似度が所定の値以上で尚且つ電子機器１の傾きが垂直である場合にアラーム又はスヌーズを解除し、そうでない場合には、スヌーズを設定する。したがって、上記の構成によれば、顔認証における類似度が十分でない場合や、例えば、ユーザの目が十分に開いていない等の場合や、ユーザが保持する電子機器１の傾きが垂直でない場合には、アラームやスヌーズが解除されず、スヌーズを設定するので、ユーザの利便性を損なうことなく、ユーザに対して目覚ましを好適に促すことができる。
【００６１】
〔実施形態４〕
以下に実施形態４について図７を参照して説明する。なお、説明の便宜上、上記実施形態にて説明した部材と同じ機能を有する部材については、同じ符号を付記し、その説明を繰り返さない。
【００６２】
本変形例に係る電子機器１は、実施形態１と同様の構成を備えているので説明を繰り返さない。図７は、本変形例に係る電子機器１によるアラーム鳴動及び解除、並びに、スヌーズ鳴動及び解除の処理の流れを示すフローチャートである。
（ステップＳ５０１）
まず、ステップＳ５０１において、ユーザは、電子機器１に対して、アラーム時刻及びスヌーズ時刻の少なくとも何れかを入力する。アラーム時刻の入力が行われた場合、アラーム設定部２０１は、入力部７０より入力されたアラーム時刻を参照し、当該アラーム時刻に、報知部３０による報知が行われるように、アラームを設定し、ステップＳ５０２へ進む。また、スヌーズ時刻の入力が行われた場合、スヌーズ設定部２０３は、入力部７０より入力されたスヌーズ時刻を参照し、当該スヌーズ時刻に、報知部３０による報知が行われるように、スヌーズを設定し、ステップＳ５０２へ進む。
（ステップＳ５０２）
アラーム時刻またはスヌーズ時刻に到達すると、ステップＳ５０２において、電子機器１の報知部３０は、アラームを鳴動し、ステップＳ５０３へ進む。
（ステップＳ５０３）
ユーザがアラームの鳴動を停止する操作を電子機器１に対して行うと、電子機器１の報知部３０による報知が停止する。停止後、ステップＳ５０４へ進む。
（ステップＳ５０４）
ステップＳ５０４では、顔認証照合部２０６が、ステップＳ５０３でユーザのアラーム停止操作開始後の所定の期間内に、例えば１０秒の期間内に、顔認証を行ったかどうかを判定する。顔認証を行った場合は、ステップＳ５０５へ進む。顔認証を行っていない場合は、ステップＳ５０９へ進む。
【００６３】
なお、本ステップでは、顔認証を行ったかどうかを判定する処理に代えて、顔認証が成功したか否かを判定する処理を行う構成としてもよい。この構成の場合、顔認証が成功した場合は、ステップＳ５０６へ進む。失敗した場合はステップＳ５０９へ進む。
（ステップＳ５０５）
ステップＳ５０５では、顔認証判定部２０７が、顔認証の顔認証の類似度がＮ％以上（Ｎは０以上の整数）かどうかを判定する。類似度がＮ％以上の場合はステップＳ５０６へ進む。類似度がＮ％未満の場合はステップＳ５０９へ進む。一例として、Ｎの値は３０以上９０以下の任意の数値である。なお、Ｎの値は本実施形態を限定するものではなく５０以上９０以下としてもよいし、７０以上９０以下としてもよい。
（ステップＳ５０６）
ステップＳ５０６では、顔認証照合部２０６が、ステップＳ５０３からステップＳ５０５の何れかの時点での、顔認証照合に使用する背景画像を検知する。
（ステップＳ５０７）
ステップＳ５０７では、ステップＳ５０６で検知した背景画像の向きが、鉛直から所定の範囲であるかどうかを顔認証判定部２０７が判定する。一例として、顔認証判定部２０７は、画像解析により、背景内の文字や物体などのオブジェクトの向きを特定することによって、背景画像の向きが、鉛直から所定の範囲であるかどうかを判定することができる。より具体的には、例えば、写りこんでいる文字の向きが横向きの場合やペットボトルなどの物体の向きが逆さまの場合は、電子機器１の傾きが鉛直から所定の範囲内ではないと判定する。背景画像の向きが鉛直から所定の範囲内ならば、ステップＳ５０８へ進む。背景画像の向きが鉛直から所定の範囲内でない場合は、ステップＳ５０９へ進む。
【００６４】
なお、上記所定の範囲の具体的な値は本実施形態を限定するものではないが、例えば、鉛直から３０度以内としてもよいし、鉛直から１５度以内としてもよい。
（ステップＳ５０８）
ステップＳ５０８では、アラーム解除部２０２とスヌーズ解除部２０４は、電子機器１に設定されたアラーム又はスヌーズを、解除する。
（ステップＳ５０９）
ステップＳ５０９では、スヌーズ設定部２０３は、スヌーズを設定し、ステップＳ５０２へ進む。
【００６５】
電子機器１は、以上の処理を行うことによって、顔認証を行い、顔認証における類似度が所定の値以上である場合で尚且つ顔認証時の背景画像の向きが正常値の場合にアラーム又はスヌーズを解除し、そうでない場合には、スヌーズを設定する。したがって、上記の構成によれば、顔認証における類似度が十分でない場合、例えば、ユーザの目が十分に開いていない等の場合や、背景画像の向きが鉛直でない場合は、アラームやスヌーズが解除されず、スヌーズを設定するので、ユーザの利便性を損なうことなく、ユーザに対して目覚ましを好適に促すことができる。
【００６６】
〔ソフトウェアによる実現例〕
電子機器１の制御ブロック（特に制御部２０）は、集積回路（ＩＣチップ）等に形成された論理回路（ハードウェア）によって実現してもよいし、ソフトウェアによって実現してもよい。
【００６７】
後者の場合、電子機器１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６８】
〔まとめ〕
本発明の態様１に係る電子機器は、撮像部と、報知部と、制御部とを備えた電子機器であって、前記制御部は、前記報知部を介したアラームを設定するアラーム設定を行うアラーム設定部と、前記撮像部による撮像画像を用いた顔認証を行う顔認証部と、前記顔認証部による顔認証の結果が所定の条件を満たす場合に、前記アラームを解除するアラーム解除部とを備えており、前記所定の条件には、第１の条件として、前記顔認証が成功したことが含まれている構成である。
【００６９】
本発明の態様２に係る電子機器は、上記の態様１において、前記アラーム解除部は、前記第１の条件が満たさない場合に、スヌーズを設定する構成としてもよい。
【００７０】
本発明の態様３に係る電子機器は、上記の態様１又は２において、前記所定の条件には、第２の条件として、前記撮像部による撮像画像に含まれる顔と、事前に登録された画像との一致度合が所定以上であることが含まれる構成としてもよい。
【００７１】
本発明の態様４に係る電子機器は、上記の態様１又は２において、前記第２の条件は、前記撮像部による撮像画像に含まれる顔における目と、事前に登録された目との一致度合が所定以上であることが含まれている構成としてもよい。
【００７２】
本発明の態様５に係る電子機器は、上記の態様３において、前記アラーム解除部は、前記第１の条件が満たされる場合であって、前記第２の条件が満たされない場合に、スヌーズを設定する構成としてもよい。
【００７３】
本発明の態様６に係る電子機器は、上記の態様１から４の何れか１項において、当該電子機器の傾きを検知する傾き検知部を備え、前記所定の条件には、第３の条件として、前記傾き検知部が検知した傾きが鉛直から所定の範囲内であることが含まれている構成としてもよい。
【００７４】
本発明の態様７に係る電子機器は、上記の態様５において、前記アラーム解除部は、前記第１の条件が満たされる場合であって、前記第３の条件が満たされない場合に、スヌーズを設定する構成としてもよい。
【００７５】
本発明の態様８に係る電子機器は、上記の態様１から４の何れか１項において、前記所定の条件には、第４の条件として、前記撮像部による撮像画像における背景の向きが、鉛直から所定の範囲内であることが含まれている構成としてもよい。
【００７６】
本発明の態様９に係る電子機器は、前記アラーム解除部は、前記第１の条件が満たされる場合であって、前記第４の条件が満たされない場合に、スヌーズを設定する構成である。
【００７７】
本発明の各態様に係る電子機器１は、コンピュータによって実現してもよく、この場合には、コンピュータを上記電子機器１が備える各部（ソフトウェア要素）として動作させることにより上記電子機器１をコンピュータにて実現させる電子機器１の制御プログラム、およびそれを記録したコンピュータ読み取り可能な記録媒体も、本発明の範疇に入る。
【００７８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７９】
１  電子機器
１０  撮像部
２０  制御部
３０  報知部
４０  記憶部
５０  加速度センサ部
６０  表示部
７０  入力部
２０１  アラーム設定部
２０２  アラーム解除部
２０３  スヌーズ設定部
２０４  スヌーズ解除部
２０５  クロック部
２０６  顔認証照合部
２０７  顔認証判定部
【図１】
2020169860.tif 000003
【図２】
2020169860.tif 000004
【図３】
2020169860.tif 000005
【図４】
2020169860.tif 000006
【図５】
2020169860.tif 000007
【図６】
2020169860.tif 000008
【図７】
2020169860.tif 000009